(57)【特許請求の範囲】
【請求項１】
軒の端部に沿って固定される軒先側野縁と、
前記軒先側野縁と対向してほぼ平行に外壁の屋外側に固定される外壁側野縁と、
両端部が軒先側野縁及び外壁側野縁に固定される軒天井板とを有し、
前記軒天井板は、外壁を構成する外壁材の屋外側に配置され、
前記軒天井板の外壁材側の端部は、前記外壁側野縁の下面に取付けられた見切ジョイナーに差込み支持されることを特徴とする軒天井構造。
【発明の詳細な説明】
【０００１】
【発明の属する技術分野】
本発明は、軒天井構造に関する。
【０００２】
【関連技術および発明が解決しようとする課題】
従来、屋根軒先側下端部と外壁との間に水平な軒天を構築する場合の軒天下地構造としては、図７に示すものが知られている。
【０００３】
この構造を、床、壁、屋根等をパネル化してパネルを組み立てることにより建物を形成していくパネル工法による建築物を例にとって説明すると、図７に示すように、外壁５０を構成する外壁パネル５１上端に屋根７０を構成する屋根パネル７４を所定の屋根勾配を持たせて組み立て、外壁パネル５１の屋外側には外壁材５８が取り付けられる。この時、外壁材５８は外壁パネル５１に直接取り付けられるのではなく、建物の上下方向の通気を確保するため、図７に示すように外壁パネル５１の屋外側の面に胴縁５４が取り付けられ、この胴縁５４を介して外壁材５８が外壁パネル５１に取り付けられる。
【０００４】
一方、屋根パネル７４の軒先側端部には結合材７６が取り付けられ、続いて頭つなぎ材７８、破風８０および唐草８２が取り付けられて軒先部が構築される。
軒天井の構築においては、まず、屋根パネル７４の軒先側下端部と外壁パネル５１間の上方の梁等に、吊り木９０を取り付け、吊り木によって縣下される野縁８８を、図８に示すように格子状に組んで軒天下地組みを構築する。次に、野縁８８の下面に軒天井板９２を取り付けて、軒天井が完成する。
【０００５】
上述のように、従来の軒天井構造においては、枠組みした野縁を、不自然な上向きの姿勢で構築する必要があり、そのための工数と苦労を必要とするという問題点があった。
【０００６】
また、天井板の取付においても、上向きの不自然な姿勢で多くの釘打ち等を必要とするため、現場作業の工数が多かった。
【０００７】
ところで、本出願人は、予め日本特許情報機構（ＪＡＰＩＯ）の先行技術調査（パトリス）によって、検索式： E04B05/60C にて、先行技術を調査し、特許６８件、実用新案１８４件の調査結果を得た。この結果から、上記問題点を解決するための技術を発見することはできなかった。
【０００８】
本発明は、上記のような問題点に鑑みてなされたものであって、その目的は、胴縁を枠組みすることなく取り付けることができる軒天井構造を提供することにある。
【０００９】
また、本発明の他の目的は、不自然な上向きの姿勢で行う釘打ち作業等の必要が少ない軒天井構造を提供することにある。
【００１０】
【００１１】
【００１２】
【００１３】
【００１４】
【００１５】
【００１６】
【００１７】
【課題を解決するための手段】
請求項１に係る軒天井構造は、軒の端部に沿って固定される軒先側野縁と、
前記軒先側野縁と対向してほぼ平行に外壁の屋外側に固定される外壁側野縁と、
両端部が軒先側野縁及び外壁側野縁に固定される軒天井板とを有し、
前記軒天井板は、外壁を構成する外壁材の屋外側に配置され、
前記軒天井板の外壁材側の端部は、前記外壁側野縁の下面に取付けられた見切ジョイナーに差込み支持されることを特徴とする。
【００１８】
【００１９】
【００２０】
【００２１】
【００２２】
【００２３】
【発明の実施の形態】
以下、本発明の好適な実施例について、図面を参照しながら、さらに具体的に説明する。
【００２４】
図１は、本実施例の軒天井構造１０を示す縦断面図である。図２は、建物の外壁５０と軒天井板２０の配置を屋根７０を除いた状態で示す概略平面図である。これらの図において、前記の「関連技術」の説明に用いた図７の軒天井構造に対応する各部には同一の符号を付した。
【００２５】
これらの図に示すように、本実施例の軒天井構造１０は、軒の端部に沿って固定される軒先側野縁３５と、軒先側野縁３５と同様な垂直位置でほぼ平行に外壁５０の屋外側に固定される外壁側野縁４０との下面に、軒天井板２０がほぼ水平な状態で固定される構造となっている。また、図２に示したように、軒天井板２０は複数が軒幅方向に連結されて軒天井を形成する。
【００２６】
以下、本実施例の軒天井構造１０を構成する各部について説明する。
【００２７】
軒先側野縁３５は、長尺の角材状の形状であり、屋根７０を構成する屋根パネル７４の軒先側の端部に固定された結合材７６の下面に軒幅方向に延在する状態で、釘等を用いて固定される。
【００２８】
外壁側野縁４０は、軒先側野縁３５と同様な長尺の角材状の形状であり、軒先側野縁３５と対向して軒先側野縁３５とほぼ平行に同様な垂直位置で外壁５０の屋外側に軒幅方向に延在する状態で固定される。なお、外壁側野縁４０は、図１に示すように、釘等によって外壁５０に固定される。
【００２９】
軒天井板２０は、図１の一部に断面図として描かれ、図３（Ａ）に下面を上にした状態における平面図および正面図として示すように、軒天井板本体２４と、連結材３０とを含んで構成される。
【００３０】
軒天井板本体２４は、矩形形状を有する面材であり、無機材料で形成されている。したがって、防火性能を有している。
【００３１】
連結材３０は、軒天井板本体２４の、隣接する軒天井板２０と連結される辺である連結辺２５の一方の上面に釘や接着剤などを用いて固定される。その固定位置は、隣接する軒天井板２０の軒天井板本体２４の上面に、連結材３０がまたがることとなる位置とされる。
【００３２】
軒天井板２０は、軒天井板本体２４の両端部２６，２６の一方が、軒先に取り付けられた軒先側野縁３５に固定され、他方が、外壁の屋外側に取付けられた外壁側野縁４０に固定されることによって取り付けられる。
【００３３】
また、隣接する軒天井板２０，２０同士は、軒天井板本体２４の連結辺２５，２５同士が連結材３０を介して連結されることによって、互いに連結される。すなわち、図４（Ａ）に示すように、隣接する軒天井板本体２４の一方には、その連結辺２５に予め連結材３０が取り付けてあり、その連結材３０に他方の軒天井板本体２４を釘等によって固定することによって、隣接する軒天井板２０，２０同士が連結される。
【００３４】
なお、隣接する軒天井板２０，２０の軒天井板本体２４，２４の連結辺２５，２５同士は、例えば図４（Ｂ）に連結部分の拡大図として示すように、互いに厚さ方向すなわち上下に重なる形状に形成されている。したがって、隣接する軒天井板２０，２０同士の連結部において隙間が生じないようにコーキング等を行う必要がない。また、そのような隙間によって防火性が破られることもない。なお、隣接する軒天井板本体２４，２４の連結辺同士は互いに厚さ方向に上下に重なる形状であれば、例えば、一方を実状とし他方がそれに対応する形状や、互いにテーパ状に厚さが変化する形状としても良い。
【００３５】
本実施例によれば、軒天井板２０の軒天井板本体２４の両端部２６，２６を軒先側野縁３５および外壁側野縁４０に取り付けて固定し、隣接する軒天井板２０と連結材３０を介して連結することができる。そのため、枠組みした野縁を必要とすることなく固定することができ、その製作のための工数を削減することができる。また、軒天井板２０を固定するために、下方からの釘打ちが少なくてすみ、少ない現場施工の工数で軒天井を構築することができる。また、隣接する軒天井板本体２４，２４同士は木材等で形成された連結材を介して互いに連結されているため、無機材料で形成された軒天井板本体を用いた場合であっても、連結材に到る釘等によって十分な連結強度を得ることができる。
【００３６】
ここで、本実施例の軒天井構造の施工を図面を参照しながら説明する。
【００３７】
まず、図１に示すように、屋根７０の軒の端部に沿って軒先側野縁３５が固定される。なお、軒先側野縁３５を、屋根７０を構成する屋根パネル７４の軒先となる部分に予め固定しておき、その屋根パネル７４を外壁５０を構成する壁パネル５１上の所定位置に設置するようにしてもよい。
【００３８】
次に、外壁側野縁４０を、軒先側野縁３５と対向する位置すなわち同様な垂直位置で外壁５０の屋外側に、軒先側野縁３５とほぼ平行に釘等で固定する。
【００３９】
そして、軒天井板２０の軒天井板本体２４の両端部２６，２６を軒先側野縁３５および外壁側野縁４０に固定することによって軒天井板２０を所定位置に取り付ける。なお、この軒天井板２０の取付においては、図５に外壁側野縁４０の付近の断面図として示すように、軒天井板本体２４の一方の端部を見切りジョイナ３８に差し込み、見切りジョイナ３８によって仮に支持された状態で、軒天井板本体２４の他方の端部２６を軒先側野縁３５に釘等で固定した後、軒天井板本体２４の前記一方の端部を外壁側野縁４０に釘等で固定する。なお、見切りジョイナ３８は、弾性を有する材料、例えば塩化ビニル被覆鋼板で形成され、軒天井板２０を取り付ける際に図５に示したように変形させることができるため軒天井板２０を容易に取り付けることができる。取り付けられた軒天井板２０は両端部２６，２６が、それぞれ見切りジョイナ３８および破風８０によって隠されるため、外観の良い軒天井板２０となる。
【００４０】
そして次に、図４（Ａ）および（Ｂ）に示した状態で、隣接する軒天井板２０を先に固定されている軒天井板２０に隣接させ、その軒天井板本体２４の連結辺２５を、先に固定されている軒天井板２０の連結材３０に釘等で固定して、隣接する軒天井板２０，２０同士を連結する。
【００４１】
軒天井板２０の上述した固定と連結は、図２に示した軒天井板２０のそれぞれについて繰り返される。
【００４２】
このようにして、本実施例の軒天井構造１０が施工される。
【００４３】
本実施例の軒天井の施工方法によれば、枠組みした野縁を必要とすることなく軒天井板２０を固定することができ、枠組みした野縁を製作するための工数を削減することができる。また、軒天井板２０を固定するために、下方からの釘打ちが少ない施工方法であるため、少ない現場施工の工数で軒天井を構築することができる。
【００４４】
以上、本発明の実施例を説明したが、本発明は前述した実施例に限定されるものではなく、本発明の要旨の範囲内または特許請求の範囲の均等範囲内で各種の変形実施が可能である。
【００４５】
例えば、上記実施例では、軒天井板本体２４が矩形形状を有する軒天井板２０のみを用いた例を示したが、軒天井板本体２４が三角形を有する軒天井板２０を組み合わせて用いるようにしてもよい。
【００４６】
また、上記実施例では、軒天井本体２４が無機材料で形成される例を示したが、他の防火性材料例えば金属等でもよいし、また、木材等の有機材料でもよい。なお、木材等の有機材料を軒天井板本体２４に用いた場合は、防火性を持たせるために防火処理等を施すことが望ましい。
【００４７】
また、上記実施例では、軒天井板本体２４の連結辺２５，２５の一方のみに予め連結材３０が取り付けられている軒天井板２０の例を示したが、軒天井板２０の使用箇所の施工の都合によっては図３（Ｂ）に下面を上にした状態における平面図および正面図として示すように、軒天井板本体２４の連結辺２５，２５の両方に予め連結材３０，３０が取り付けられていてもよい。
【００４８】
さらに、上記実施例では、外壁材５８が取り付けられた外壁５０に外壁側野縁４０などを取り付けて軒天井構造１０を構築する例を示したが、図６（Ａ）に外壁側野縁４０の付近の拡大縦断面として示したように、外壁５０の外壁材５８が取り付けられる前に、外壁材５８を差し込むための空間６２を残して軒天井板２０を取付け、その後、図６（Ｂ）に外壁側野縁４０の付近の拡大断面図として示したように、外壁材５８を差し込んで取り付けるようにしてもよい。
【００４９】
【００５０】
【００５１】
【００５２】
【００５３】
【００５４】
【図面の簡単な説明】
【図１】  実施例の軒天井構造を示す縦断面図である。
【図２】  屋根を除いた状態で外壁と軒天井板の配置を示す概略平面図である。
【図３】  （Ａ）は軒天井板の一例の下面を上にした状態における平面図および正面図であり、（Ｂ）は下面を上にした状態における軒天井板の他の一例の平面図および正面図である。
【図４】  （Ａ）は軒天井板が相互に隣接する状態を示す断面図である。（Ｂ）は、軒天井板の隣接部分の拡大断面図である。
【図５】  実施例の軒天井構造の外壁側野縁付近を示す断面図である。
【図６】  （Ａ）および（Ｂ）は変形例の軒天井構造の外壁側野縁付近を示す断面図であり、（Ａ）は外壁材が取り付けられる前の状態を示し、（Ｂ）は外壁材が取り付けられた状態を示している。
【図７】  関連技術の軒天井構造を示す断面図である。
【図８】  関連技術の軒天井構造に用いられた野縁および吊り木を示す斜視図である。
【符号の説明】
１０  軒天井構造
２０  軒天井板
２４  軒天井板本体
２５  連結辺
２６  端部
３０  連結材
３５  軒先側野縁
４０  外壁側野縁
５０  外壁
５８  外壁材
６２  空間
【図１】
0003754764.tif 000002
【図２】
0003754764.tif 000003
【図３】
0003754764.tif 000004
【図４】
0003754764.tif 000005
【図５】
0003754764.tif 000006
【図６】
0003754764.tif 000007
【図７】
0003754764.tif 000008
【図８】
0003754764.tif 000009